(57)【特許請求の範囲】
【請求項１】
少なくとも二つの光源と、
前記光源からの光を偏向する一つの偏向器と、
前記光源からの光をそれぞれ前記偏向器の近傍で副走査方向のみに集光する第１の光学系と、
前記光源と前記偏向器との間の光路中に配置され、前記光源からの光のそれぞれを光束規制する少なくとも二つのアパーチャと、
前記偏向器によって偏向されたそれぞれの光を少なくとも二つの感光体のそれぞれに導く第２の光学系と、を備えたタンデム型対応レーザ走査装置において、
前記第２の光学系は、前記感光体のそれぞれに対応して、前記偏向器と前記感光体との間の副走査方向の結像倍率が０．９以下で、かつ、互いに異なっており、
前記アパーチャと前記偏向器との間の光路中に、副走査方向についてパワーを有する光学素子が配置され、
前記光学素子と前記アパーチャとの間の光路中にはパワーを有する光学素子が配置されておらず、
前記アパーチャから前記光学素子までの主光線に沿った距離が、前記偏向器と前記感光体との間の副走査方向の結像倍率の絶対値が小さい光路ほど長いこと、
を特徴とするタンデム型対応レーザ走査装置。
【請求項２】
前記第１の光学系は前記少なくとも二つの光源に対して共通に設置されていること、を特徴とする請求項１に記載のタンデム型対応レーザ走査装置。
【請求項３】
前記第１の光学系は前記少なくとも二つの光源に対して個別に設置されていること、を特徴とする請求項１に記載のタンデム型対応レーザ走査装置。
【発明の詳細な説明】
【技術分野】
【０００１】
本発明は、タンデム型対応レーザ走査装置、特に、電子写真法によってタンデム方式でカラー画像を形成する複写機やプリンタなど画像形成装置に搭載されるレーザ走査装置に関する。
【背景技術】
【０００２】
従来、色の三原色及び黒色の画像をそれぞれ形成するための複数の感光体を並置し、該感光体上に形成されたそれぞれの色の画像を中間転写体上に順次１次転写して合成し、該合成画像を転写材上に２次転写するようにした、タンデム型の画像形成装置が種々提供されている。
【０００３】
この種のタンデム型に対応したレーザ走査装置として、特許文献１には、複数の光源からの光を偏向器（ポリゴンミラー）の一つの面で偏向した後、折返しミラーで光路を分離し、レンズやミラーを介してそれぞれの感光体に導いて画像を形成することで、カラー画像を高速に形成する技術が記載されている。
【０００４】
また、特許文献２には、複数の光源からの光が副走査方向において偏向器への入射角度が異なるとき、副走査方向の結像倍率を変更して感光体上でのボウを抑制することが記載されている。ここでは、光源からの光を所望のスポット径とするためのアパーチャを偏向器の前段に設けることが開示されている。
【０００５】
ところで、特許文献１に記載のタンデム型対応レーザ走査装置では、各光路について偏向器と感光体との間の副走査方向の結像倍率を揃えようとすると、光学素子の配置上の制約が大きい。そこで、副走査方向の結像倍率に差を付けることで光学素子の配置に自由度を持たせることが考えられる。この場合に、特許文献２に記載されているように、アパーチャを用いてアパーチャ以降の光学系を介して感光体の近くに形成されるアパーチャの像の位置については、感光体からの距離が副走査方向の結像倍率に応じて差が生じてしまう。
【０００６】
その結果、デフォーカスの発生時におけるビーム径の変化が副走査方向倍率に応じて差を生じてしまい、例えば、温度変化などによるデフォーカスで各感光体上でのビーム径に差が生じ、階調性に差が生じて色味が変化してしまうという問題点を有していた。
【特許文献１】特開２００４−７０１９０号公報
【特許文献２】特開２０００−１８０７４９号公報
【発明の開示】
【発明が解決しようとする課題】
【０００７】
そこで、本発明の目的は、副走査方向の結像倍率に差を付けて光学素子の配置の自由度を確保するとともに、デフォーカス時に各感光体上でのビーム径の変化の差を解消でき、品質の良好なカラー画像を得ることのできるタンデム型対応レーザ走査装置を提供することにある。
【課題を解決するための手段】
【００１０】
以上の目的を達成するため、本発明は、少なくとも二つの光源と、前記光源からの光を偏向する一つの偏向器と、前記光源からの光をそれぞれ前記偏向器の近傍で副走査方向のみに集光する第１の光学系と、前記光源と前記偏向器との間の光路中に配置され、前記光源からの光のそれぞれを光束規制する少なくとも二つのアパーチャと、前記偏向器によって偏向されたそれぞれの光を少なくとも二つの感光体のそれぞれに導く第２の光学系と、を備えたタンデム型対応レーザ走査装置において、
前記第２の光学系は、前記感光体のそれぞれに対応して、前記偏向器と前記感光体との間の副走査方向の結像倍率が０．９以下で、かつ、互いに異なっており、
前記アパーチャと前記偏向器との間の光路中に、副走査方向についてパワーを有する光学素子が配置され、
前記光学素子と前記アパーチャとの間の光路中にはパワーを有する光学素子が配置されておらず、
前記アパーチャから前記光学素子までの主光線に沿った距離が、前記偏向器と前記感光体との間の副走査方向の結像倍率の絶対値が小さい光路ほど長いこと、
を特徴とする。
【００１１】
本発明に係るタンデム型対応レーザ走査装置においては、副走査方向の結像倍率に差を付けたことにより、光学素子の配置の自由度が確保され、かつ、アパーチャの位置を、アパーチャから光学素子までの主光線に沿った距離が偏向器と感光体との間の副走査方向の結像倍率の絶対値が小さい光路ほど、長く設定したため、副走査方向の結像倍率が異なるにも拘わらずアパーチャ以降の光学系を介して感光体の近くに形成されるアパーチャの像の位置が感光体からほぼ等しい距離になる。これにて、デフォーカスが生じた場合であっても感光体上でのビーム径の挙動がほぼ等しくなり、カラー画像の階調性、色味が変化することが解消される。
【発明を実施するための最良の形態】
【００１２】
以下、本発明に係るタンデム型対応レーザ走査装置の実施例について、添付図面を参照して説明する。
【００１３】
（第１実施例、図１〜図１０参照）
図１に本発明の第１実施例であるタンデム型対応レーザ走査装置の概略構成を示す。このレーザ走査装置は、概略、四つの半導体レーザ１ａ〜１ｄと、アパーチャ３ａ〜３ｄと、シリンダレンズ５と、ポリゴンミラー６と、ポリゴンミラー６で偏向された光を並置された四つの感光体１２ａ〜１２ｄに導いて結像させる走査光学系２０とで構成されている。
【００１４】
感光体１２ａ〜１２ｄは、色の三原色及び黒色の画像をそれぞれ形成するためのもので、各感光体１２ａ〜１２ｄ上に形成された各色の画像は図示しない中間転写ベルト上に転写、合成される。このようなカラー画像の形成方式はタンデム型として周知であり、その説明は省略する。
【００１５】
半導体レーザ１ａ〜１ｄのそれぞれから放射されたレーザ光は、コリメータレンズ２ａ〜２ｄによってそれぞれ平行光となり、アパーチャ３ａ〜３ｄによって光束規制された後、平面ミラーアレイ４によって主走査方向Ｙについて重ね合わされ、シリンダレンズ５によって副走査方向Ｚのみに集光される。その後、レーザ光はポリゴンミラー６によって主走査方向Ｙに等角速度で偏向され、共通の走査第１レンズ７によって屈折された後、各感光体１２ａ〜１２ｄへの分岐された四つの光路に対応した第１折返しミラー８ａ〜８ｄ、第２折返しミラー９ａ〜９ｄ、走査第２レンズ１０ａ〜１０ｄ、ウインドウガラス１１ａ〜１１ｄを介して、感光体１２ａ〜１２ｄ上に結像される。
【００１６】
図２に第１実施例であるレーザ走査装置の副走査方向Ｚの断面での光路を示す。レーザ光がポリゴンミラー６によって偏向されるまでは、各光路は副走査方向Ｚについて同じ高さであり、主光線の副走査方向Ｚの角度が異なっている。
【００１７】
また、第２レンズ１０ａ〜１０ｄから各感光体１２ａ〜１２ｄまでの距離が光路ごとに異なっている。タンデム型対応のレーザ走査装置の場合、黒色トナーの消費量が他の色のトナーに比べて多いため、黒色トナーのホッパだけが大きい場合がある。本第１実施例においては“ａ”を付した光路を黒色画像形成用として割り当てることによって、装置をコンパクトに構成している。以下、四つの光路をそれぞれ“ａ”、“ｂ”、“ｃ”、“ｄ”として区別して表記する。
【００１８】
一方、副走査方向Ｚにパワーを持っている第２レンズ１０ａ〜１０ｄの位置が各光路ごとに異なっており、各光路における走査光学系の副走査方向Ｚの結像倍率は各光路ごとに異なっている。これにて、走査光学系２０を構成する各光学素子の設計上の自由度が増すことになる。
【００１９】
図３に第１実施例であるレーザ走査装置における光路“ａ”の展開状態を示す。図４に同様に光路“ｂ”の展開状態を示す。図５に同様に光路“ｃ”の展開状態を示す。図６に同様に光路“ｄ”の展開状態を示す。これらの各図においては、平面かつ固定のミラーを省略して、元の光学系と光学的に等価になるように描かれている。各図において、（Ａ）は主走査方向Ｙの断面図、（Ｂ）は副走査方向Ｚの断面図、（Ｃ）は光源部光学系の副走査方向Ｚの断面図である。
【００２０】
以下に示す表１〜表７は光路“ａ”の各光学素子のコンストラクションデータを示す。表８及び表９は光路“ｂ”の各光学素子のコンストラクションデータを示し、面１〜面８は光路“ａ”の光学素子と同一形状である。表１０及び表１１は光路“ｃ”の各光学素子のコンストラクションデータを示し、面１〜面８は光路“ａ”の光学素子と同一形状である。表１２及び表１３は光路“ｄ”の各光学素子のコンストラクションデータを示し、面１〜面８は光路“ａ”の光学素子と同一形状である。なお、表１〜表１３で表記のない係数は０である。
【００２１】
これらのコンストラクションデータにおいて、軸対称非球面の面形状は次式（１）によって表現される。
【００２２】
【数１】
0004706430.tif 000002
【００２３】
また、自由曲面の面形状は次式（２）によって表現される。
【００２４】
【数２】
0004706430.tif 000003
【００２５】
【表１】
0004706430.tif 000004
【００２６】
【表２】
0004706430.tif 000005
【００２７】
【表３】
0004706430.tif 000006
【００２８】
【表４】
0004706430.tif 000007
【００２９】
【表５】
0004706430.tif 000008
【００３０】
【表６】
0004706430.tif 000009
【００３１】
【表７】
0004706430.tif 000010
【００３２】
【表８】
0004706430.tif 000011
【００３３】
【表９】
0004706430.tif 000012
【００３４】
【表１０】
0004706430.tif 000013
【００３５】
【表１１】
0004706430.tif 000014
【００３６】
【表１２】
0004706430.tif 000015
【００３７】
【表１３】
0004706430.tif 000016
【００３８】
ところで、図７は第１実施例であるレーザ走査装置でのアパーチャ共役像１３ａ〜１３ｄの位置を示し、アパーチャ３ａ〜３ｄ以降の主走査方向Ｙ断面における展開光路と重ね合わせている。ここに示すアパーチャ共役像１３ａ〜１３ｄは、画像中央に相当する偏向角における副走査方向Ｚ断面での像である。本第１実施例では、走査光学系の副走査方向Ｚの結像倍率を各光路ごとに異ならせているが、アパーチャ３ａ〜３ｄをそれぞれの光路ごとに、以下に説明するように、最適位置に配置することによりアパーチャ共役像１３ａ〜１３ｄの位置を揃えている。
【００３９】
なお、図７において、ウインドウガラス１１ａ〜１１ｄの位置は１箇所に揃えている。実際には、各光路でウインドウガラス１１ａ〜１１ｄの位置は異なっているが、ウインドウガラス１１ａ〜１１ｄはパワーを持たない平板であるため、角度を変えずに位置だけを変えても光学的な作用は変化しない。
【００４０】
図８は第１実施例であるレーザ走査装置における、光学系のデフォーカスに伴う副走査方向Ｚでのビーム径の変化を示す。ビーム径は画像中央に相当する偏向角において計算した数値である。アパーチャ共役像１３ａ〜１３ｄの位置が感光体１２ａ〜１２ｄに近いため、マイナス側とプラス側とでデフォーカス時の副走査方向Ｚでのビーム径の変化状態が異なる挙動を示す。この場合、マイナス側にアパーチャ共役像１３ａ〜１３ｄが生じているため、マイナス側にデフォーカスしたときにビーム径が細くなる状態になっている。
【００４１】
アパーチャ共役像１３ａ〜１３ｄが感光体１２ａ〜１２ｄの近くに生じてしまうのは、走査光学系の副走査方向Ｚでの結像倍率が低いためであり、この結像倍率が低いのは副走査方向Ｚの光束幅を狭くするためである。本第１実施例では、副走査方向Ｚに角度を変えて４本のレーザ光を走査するため、光路を分離するまでの部分の光束幅を狭くしておかないと、第１折返しミラー８ａ〜８ｄでの光路分離ができなくなってしまう。それゆえ、走査光学系の副走査方向Ｚの結像倍率は０．９以下が好ましい。
【００４２】
各光路間の角度差を大きくすることによっても光路の分離は可能であるが、その場合は、ポリゴンミラー６の面倒れによるジッタや、ポリゴンミラー６の軸面間距離の誤差によるピッチむらが大きくなり、画質が低下してしまう。
【００４３】
なお、主走査方向Ｙについては、アパーチャ共役像の位置が感光体１２ａ〜１２ｄから大きく離れているため、デフォーカス方向による非対称性は発生しない。
【００４４】
図９は第１実施例であるレーザ走査装置における、光学系のデフォーカスに伴う副走査方向Ｚでのビーム径の変化を曲線ａ〜ｄ（図８と同じ）に示し、比較例として曲線ｂ’，ｃ’，ｄ’を示している。比較例としての曲線ｂ’，ｃ’，ｄ’は、光路“ｂ”“ｃ”“ｄ”でのアパーチャ３ｂ〜３ｄの位置を主走査方向Ｙの断面内で光路“ａ”と同じになるように変更したものである。
【００４５】
以下に示す表１４は、第１実施例と比較例とにおける、アパーチャからシリンダレンズまでの光路長と、副走査方向Ｚでのアパーチャ共役像から感光体までの光路長と、走査光学系の副走査方向Ｚでの結像倍率を示している。なお、アパーチャの移動はそれぞれの光路の主光線方向に沿っている。従って、アパーチャの副走査方向Ｚの高さは各光路で異なっている。
【００４６】
【表１４】
0004706430.tif 000017
【００４７】
また、表１４にはｔk／ｔの値も合わせて示しており、本第１実施例でその値は１．００である。ここで、感光体の数をｎとし、画像中央に対応する偏向角においてアパーチャから感光体までの間に設置された光学系によるアパーチャ共役像から感光体までの主光線に沿った距離をｔk（１≦ｋ≦ｎ）とし、前記ｔkのうち副走査方向Ｚの結像倍率が最も低い光路に対応するものをｔとする。この場合、ｔk／ｔの値が１であること、即ち、副走査方向Ｚでのアパーチャ共役像から感光体までの光路長が等しいことが望ましいが、ｔk／ｔの値が０．９から１．１の範囲であれば、実用可能である。
【００４８】
ところで、比較例においては、ビーム径の変化の様子が光路間で異なっている。各光路は、タンデム型対応レーザ走査装置においてはそれぞれ別の色に割り当てられており、デフォーカス時のビーム径変化の挙動が異なるということは、例えば、温度変化時にビーム径がそれぞれ異なる変化を生じて、階調性が色ごとに異なる変化をし、カラー画像の色味が変化してしまうことを意味する。
【００４９】
図１０は前記比較例でのアパーチャ共役像１３ｂ’，１３ｃ’，１３ｄ’の位置を示している。光路“ｂ”“ｃ”“ｄ”のアパーチャを移動させて光路“ａ”と同じ位置にしているため、共役像１３ｂ’，１３ｃ’，１３ｄ’の位置は共役像１３ａの位置からずれている。図９と併せて見ると、共役像の位置が感光体に近づくほど、ビーム径変化の非対称性が大きくなっていることが理解できる。
【００５０】
（第２実施例、図１１〜図１３参照）
図１１に本発明の第２実施例であるタンデム型対応レーザ走査装置の概略構成を示す。このレーザ走査装置において、ポリゴンミラー６以降の光学系の構成は前記第１実施例と同じである。従って、本第２実施例において第１実施例と同じ部材には同じ符号を付し、重複する説明は省略する。
【００５１】
本第２実施例では、第１実施例における平面ミラーアレイ４とシリンダレンズ５に代えて、自由曲面ミラーアレイ１４によって各光路を主走査方向Ｙについて重ね合わせるとともに、副走査方向Ｚについてポリゴンミラー６上で同じ高さに集光している。
【００５２】
以下に示す表１５及び表１６は光路“ａ”の各光学素子のコンストラクションデータを示し、面１〜面３及びポリゴンミラー６以降の光学素子は第１実施例と同一形状である。表１７及び表１８は光路“ｂ”の各光学素子のコンストラクションデータを示し、面１〜面３及びポリゴンミラー６以降の光学素子は第１実施例と同一形状である。表１９及び表２０は光路“ｃ”の各光学素子のコンストラクションデータを示し、面１〜面３及びポリゴンミラー６以降の光学素子は第１実施例と同一形状である。表２１及び表２２は光路“ｄ”の各光学素子のコンストラクションデータを示し、面１〜面３及びポリゴンミラー６以降の光学素子は第１実施例と同一形状である。
【００５３】
【表１５】
0004706430.tif 000018
【００５４】
【表１６】
0004706430.tif 000019
【００５５】
【表１７】
0004706430.tif 000020
【００５６】
【表１８】
0004706430.tif 000021
【００５７】
【表１９】
0004706430.tif 000022
【００５８】
【表２０】
0004706430.tif 000023
【００５９】
【表２１】
0004706430.tif 000024
【００６０】
【表２２】
0004706430.tif 000025
【００６１】
図１２は第２実施例であるレーザ走査装置でのアパーチャ共役像１３ａ〜１３ｄの位置を示し、図７に示した第１実施例でのアパーチャ共役像１３ａ〜１３ｄとは位置が異なっているが、本第２実施例中で光路間での差は生じていない。
【００６２】
以下に示す表２３は、第２実施例における、アパーチャから自由曲面ミラーアレイまでの光路長と、副走査方向Ｚでのアパーチャ共役像から感光体までの光路長と、走査光学系の副走査方向Ｚでの結像倍率（いずれの光路においても０．９以下であり、かつ、異なっている）を示している。表２３にはｔk／ｔの値も合わせて示しており、本第２実施例でｔk／ｔの値は望ましい１．００である。
【００６３】
【表２３】
0004706430.tif 000026
【００６４】
図１３は第２実施例であるレーザ走査装置における、光学系のデフォーカスに伴う副走査方向Ｚでのビーム径の変化を示す。アパーチャ共役像１３ａ〜１３ｄの位置を各光路間で揃えているため、各光路間でのビーム径の変化の差は生じていない。
【００６５】
（第３実施例、図１４〜図１７参照）
図１４に本発明の第３実施例であるタンデム型対応レーザ走査装置の概略構成を示す。このレーザ走査装置は、ポリゴンミラー６をほぼ中央部に配置し、ポリゴンミラー６に対して左右から２本ずつのレーザ光を入射させるように構成している。光学系は、ポリゴンミラー６の回転中心軸を通り、感光体１２ａ〜１２ｄの中心軸に平行な平面に対して鏡像の状態に構成されている。それ以外の構成は前記第１実施例と同様であり、本第３実施例において第１実施例と同じ部材には同じ符号を付し、重複する説明は省略する。
【００６６】
以下に示す表２４〜表２８は光路“ａ”の各光学素子のコンストラクションデータを示し、面１〜面３は第１実施例と同一形状である。表２９〜表３１は光路“ｂ”の各光学素子のコンストラクションデータを示し、面１〜面３は第１実施例と同一形状であり、面５〜面８は本第３実施例での光路“ａ”の光学素子と同一形状である。光路“ｃ”、“ｄ”は光路“ａ”、“ｂ”と鏡像の状態であり、データの記載は省略する。
【００６７】
【表２４】
0004706430.tif 000027
【００６８】
【表２５】
0004706430.tif 000028
【００６９】
【表２６】
0004706430.tif 000029
【００７０】
【表２７】
0004706430.tif 000030
【００７１】
【表２８】
0004706430.tif 000031
【００７２】
【表２９】
0004706430.tif 000032
【００７３】
【表３０】
0004706430.tif 000033
【００７４】
【表３１】
0004706430.tif 000034
【００７５】
図１５に第３実施例であるレーザ走査装置の副走査方向Ｚの断面での光路を示す。図１５では光路“ａ”、“ｂ”のみを示し、鏡像関係にある光路“ｃ”、“ｄ”は省略している。本第３実施例にあっては、折返しミラー８ａ〜８ｄ，９ｂ〜９ｃの配置の都合上、第２レンズ１０ａ〜１０ｄから感光体１２ａ〜１２ｄまでの光路長に差を設けている。このことは、装置を薄型化するために有効である。本第３実施例では、ウインドウガラス１１ａ〜１１ｄから感光体１２ａ〜１２ｄまでの光路長は各光路間で同じに設定されている。
【００７６】
図１６は第３実施例であるレーザ走査装置でのアパーチャ共役像１３ａ〜１３ｄの位置を示す。本第３実施例では、半導体レーザ１ａ〜１ｄから感光体１２ａ〜１２ｄまでの全系で副走査方向Ｚの結像倍率を揃えるため、シリンダレンズ５ａ〜５ｄの焦点距離を各光路ごとに異ならせている。
【００７７】
即ち、アパーチャ３ａ〜３ｄとポリゴンミラー６との間の光路中に、副走査方向についてパワーを有するシリンダレンズ５ａ〜５ｄが配置され、かつ、該シリンダレンズ５ａ〜５ｄとアパーチャ３ａ〜３ｄとの間の光路中にはパワーを有する光学素子が配置されておらず、アパーチャ３ａ〜３ｄからシリンダレンズ５ａ〜５ｄまでの主光線に沿った距離が、ポリゴンミラー６と感光体１２ａ〜１２ｄとの間の副走査方向の結像倍率の絶対値が小さい光路ほど長く設定されている。これにて、アパーチャ３ａ〜３ｄの位置が適切に設定され、アパーチャ共役像１３ａ〜１３ｄの位置が揃うことになる。
【００７８】
以下に示す表３２は、第３実施例における、アパーチャからシリンダレンズまでの光路長と、副走査方向Ｚでのアパーチャ共役像から感光体までの光路長と、走査光学系の副走査方向Ｚでの結像倍率を示している。表３２にはｔk／ｔの値も合わせて示しており、本第３実施例でｔk／ｔの値は望ましい１．００である。
【００７９】
【表３２】
0004706430.tif 000035
【００８０】
図１７は第３実施例であるレーザ走査装置における、光学系のデフォーカスに伴う副走査方向Ｚでのビーム径の変化を示す。アパーチャ共役像１３ａ〜１３ｄの位置を各光路間で揃えているため、各光路間でのビーム径の変化の差は生じていない。
【００８１】
（他の実施例）
なお、本発明に係るタンデム型対応レーザ走査装置は前記実施例に限定するものではなく、その要旨の範囲内で種々に変更できる。
【００８２】
特に、光源部の構成やポリゴンミラー以降の光学系の構成などは任意である。
【図面の簡単な説明】
【００８３】
【図１】本発明に係るレーザ走査装置の第１実施例の概略構成を示す斜視図である。
【図２】第１実施例の副走査方向断面での光路図である。
【図３】第１実施例の光路“ａ”の展開状態を示し、（Ａ）は主走査方向断面、（Ｂ）は副走査方向断面図、（Ｃ）は光源部光学系の副走査方向断面図である。
【図４】第１実施例の光路“ｂ”の展開状態を示し、（Ａ）は主走査方向断面、（Ｂ）は副走査方向断面図、（Ｃ）は光源部光学系の副走査方向断面図である。
【図５】第１実施例の光路“ｃ”の展開状態を示し、（Ａ）は主走査方向断面、（Ｂ）は副走査方向断面図、（Ｃ）は光源部光学系の副走査方向断面図である。
【図６】第１実施例の光路“ｄ”の展開状態を示し、（Ａ）は主走査方向断面、（Ｂ）は副走査方向断面図、（Ｃ）は光源部光学系の副走査方向断面図である。
【図７】第１実施例でのアパーチャ共役像の位置を示す説明図である。
【図８】第１実施例でのデフォーカスに伴う副走査方向のビーム径の変化を示すグラフである。
【図９】第１実施例及び比較例でのデフォーカスに伴う副走査方向のビーム径の変化を示すグラフである。
【図１０】比較例でのアパーチャ共役像の位置を示す説明図である。
【図１１】本発明に係るレーザ走査装置の第２実施例の概略構成を示す斜視図である。
【図１２】第２実施例でのアパーチャ共役像の位置を示す説明図である。
【図１３】第２実施例でのデフォーカスに伴う副走査方向のビーム径の変化を示すグラフである。
【図１４】本発明に係るレーザ走査装置の第３実施例の概略構成を示す斜視図である。
【図１５】第３実施例の副走査方向断面での光路図である。
【図１６】第３実施例でのアパーチャ共役像の位置を示す説明図である。
【図１７】第３実施例でのデフォーカスに伴う副走査方向のビーム径の変化を示すグラフである。
【符号の説明】
【００８４】
１ａ〜１ｄ…半導体レーザ
２ａ〜２ｄ…コリメータレンズ
３ａ〜３ｄ…アパーチャ
４…平面ミラーアレイ
５，５ａ〜５ｂ…シリンダレンズ
６…ポリゴンミラー
７…走査第１レンズ
８ａ〜８ｄ，９ａ〜９ｄ…折返しミラー
１０…走査第２レンズ
１２ａ〜１２ｄ…感光体
１３ａ〜１３ｄ…アパーチャ共役像
１４…自由曲面ミラーアレイ
【図１】
0004706430.tif 000036
【図２】
0004706430.tif 000037
【図３】
0004706430.tif 000038
【図４】
0004706430.tif 000039
【図５】
0004706430.tif 000040
【図６】
0004706430.tif 000041
【図７】
0004706430.tif 000042
【図８】
0004706430.tif 000043
【図９】
0004706430.tif 000044
【図１０】
0004706430.tif 000045
【図１１】
0004706430.tif 000046
【図１２】
0004706430.tif 000047
【図１３】
0004706430.tif 000048
【図１４】
0004706430.tif 000049
【図１５】
0004706430.tif 000050
【図１６】
0004706430.tif 000051
【図１７】
0004706430.tif 000052